(57)【特許請求の範囲】
【請求項１】
予め未露光の写真フイルムが装填され簡単な撮影機構が組み込まれたレンズ付きフイルムユニットにおいて、
前記写真フイルム及び撮影機構が組み込まれたユニット本体に、ストロボ装置を着脱自在に装着するための取り付け部と、前記ストロボ装置に給電する電源電池とが設けられていることを特徴とするレンズ付きフイルムユニット。
【請求項２】
予め未露光の写真フイルムが装填され簡単な撮影機構が組み込まれたレンズ付きフイルムユニットに着脱自在に取り付けられるストロボ装置であって、
前記レンズ付きフイルムユニット内の電池から給電を受けるための端子が設けられていることを特徴とするストロボ装置。
【請求項３】
予め未露光の写真フイルムが装填され簡単な撮影機構が組み込まれたレンズ付きフイルムユニットと、このレンズ付きフイルムユニットに着脱自在に取り付けられるストロボ装置とからなるレンズ付きフイルムシステムであって、
前記レンズ付きフイルムユニットは、前記写真フイルム及び撮影機構が組み込まれたユニット本体に、外付けストロボ装置を着脱自在に装着するための取り付け部と、前記外付けストロボ装置に給電する電源電池とが設けられており、
前記ストロボ装置には、前記電源電池から給電を受けるための端子が設けられていることを特徴とするレンズ付きフイルムシステム。
【発明の詳細な説明】
【０００１】
【発明の属する技術分野】
本発明は、予め未露光の写真フイルムが装填されたレンズ付きフイルムユニット及びこれに用いられるストロボ装置，並びにレンズ付きフイルムシステムに関するものであり、さらに詳しくは、使用済みレンズ付きフイルムユニットの部品の流用を抑制又は防止する対策に関するものである。
【０００２】
【従来の技術】
予め写真フイルムが装填された１回使用型の簡易型カメラとして、レンズ付きフイルムユニットが知られている。このレンズ付きフイルムユニットは、写真フイルムを装填するとともに簡単な撮影機構が組み付けられる本体基部と、これを前後から覆う前カバー及び後カバーとから構成される。これら主要な構成部品は、プラスチックで形成される。
【０００３】
レンズ付きフイルムユニットは、小型、簡易な構造、低価格をその特徴としている一方、各種の機能が付加されてきており、その中でもストロボ装置を内蔵したものが普及している。このストロボ装置は、例えば、ストロボ発光部と、回路基板と、これらに給電する電源電池とからなる。
【０００４】
ユーザーは、写真フイルムをその枚数分撮り終わると、レンズ付きフイルムユニットを、その本体毎プリント業者に渡して、プリントを依頼する。写真フイルムはプリントとともにユーザーに返却される一方、使用済みのレンズ付きフイルムユニットの本体は、プリント業者を介してカメラメーカーに回収される。
【０００５】
カメラメーカーは、環境汚染防止や資源の有効活用の観点から、使用済みレンズ付きフイルムユニットのリサイクルを積極的に進めており、製品の設計段階から生産ラインに至るまでリサイクルを前提として設計することにより、循環型生産システムを構築している。
【０００６】
カメラメーカーは、使用済みレンズ付きフイルムユニットを分解し、ストロボ装置や露光ユニットなどについては、洗浄及び検査を行って再使用する。また、プラスチック部品については、溶解・ペレット化して、プラスチック材料として再利用している。レンズ付きフイルムユニットは、１回使用を前提としており、低価格を実現するために部品の耐久性も通常のカメラと比較すると低い。そのため、再使用されるストロボ装置等については、適正な検査とともに、必要に応じて修理を施すことにより、品質を確保している。
【０００７】
また、このリサイクルによって、レンズ付きフイルムユニットの販売価格の引下げも図っている。特に、ストロボ装置は、他の部品と比較して非常に高価であるため、これをリユースすることによる販売価格引き下げの効果は大きい。
【０００８】
しかし、使用済みのレンズ付きフイルムユニットの全てがカメラメーカーに戻されるのではなく、その一部は、フイルム詰め替え業者や部品流用業者などにまわされる。詰め替え業者は、使用済みのレンズ付きフイルムユニットに未使用の写真フイルムの詰め替えを行い、他方、部品流用業者は、使用済みのレンズ付きフイルムユニットの本体構成部品の一部を流用して、別のレンズ付きフイルムユニットを組み立てる。フイルムが詰め替えられた詰め替え品や部品流用により組み立てられた部品流用品は、包装されて新品として販売される。こうした詰め替え品や部品流用品は、ストロボ装置など高価な部品をコストをかけずに利用しているので、その販売価格は非常に安い。
【０００９】
【発明が解決しようとする課題】
しかしながら、これら詰め替え品や部品流用品は、部品の洗浄，修理及び検査が適正に行われていない場合が多く、品質に問題がある。このような問題は、レンズ付きフイルムユニットそのものや、カメラメーカーに対する信頼を傷つけるおそれがある。
【００１０】
さらに、部品流用の場合には、ストロボ装置のように高価でかつ流用が簡単な部品だけが利用される。しかも、ストロボ装置は、レンズ付きフイルムユニットの本体に内蔵されており、本体から簡単に取り外すことができない。そのため、部品流用業者は、ストロボ装置を含むレンズ付きフイルムユニット全体を引き取った後、ストロボ装置だけを抜き取り、それ以外の部分については、無駄に廃棄している可能性が高い。こうした不適正な部品流用が継続的かつ大量に行われてしまうと、カメラメーカーが構築した循環型生産システムの目的（環境汚染防止及び資源の有効活用）が没却されるばかりでなく、リユースによるコスト的なメリットが奪われることになり、循環型生産システム自体が破壊されることになりかねない。
【００１１】
そのため、カメラメーカーは、不適正な写真フイルムの詰め替えを防止する対策について、例えば、特開平７−１２０８８３号公報などに記載されているような各種の対策を考えており、その一部を既に実施している。しかし、部品流用、特に、ストロボ装置の流用については、これを防止するための対策がなかった。
【００１２】
本発明は、使用済みレンズ付きフイルムユニットの不適正な部品流用、特にストロボ装置の流用を抑制又は防止することを目的とする。
【００１３】
【課題を解決するための手段】
前記目的を達成するために、本発明のレンズ付きフイルムユニットは、予め未露光の写真フイルムが装填され簡単な撮影機構が組み込まれたレンズ付きフイルムユニットにおいて、前記写真フイルム及び撮影機構が組み込まれたユニット本体に、ストロボ装置を着脱自在に装着するための取り付け部と、前記ストロボ装置に給電する電源電池とが設けられていることを特徴とする。
【００１４】
また、本発明のストロボ装置は、予め未露光の写真フイルムが装填され簡単な撮影機構が組み込まれたレンズ付きフイルムユニットに着脱自在に取り付けられるストロボ装置であって、前記レンズ付きフイルムユニット内の電池から給電を受けるための端子が設けられていることを特徴とする。
【００１５】
また、本発明のレンズ付きフイルムシステムは、予め未露光の写真フイルムが装填され簡単な撮影機構が組み込まれたレンズ付きフイルムユニットと、このレンズ付きフイルムユニットに着脱自在に取り付けられるストロボ装置とからなるレンズ付きフイルムシステムであって、前記レンズ付きフイルムユニットは、前記写真フイルム及び撮影機構が組み込まれたユニット本体に、外付けストロボ装置を着脱自在に装着するための取り付け部と、前記外付けストロボ装置に給電する電源電池とが設けられており、前記ストロボ装置には、前記電源電池から給電を受けるための端子が設けられていることを特徴とする。
【００１６】
【発明の実施の形態】
図１に示すレンズ付きフイルムシステム９は、レンズ付きフイルムユニット（以下、フイルムユニットという）１０と、外付け型のストロボ装置１１とからなる。フイルムユニット１０は、簡単な露光機構と、製造時に予め装填された写真フイルムとを備えている。ストロボ装置１１は、このフイルムユニット１０に着脱自在に取り付けられる。
【００１７】
フイルムユニット１０は、周知のとおり写真フイルムの交換ができない１回使用型の消耗品として製造されるのに対して、ストロボ装置１１は、繰り返し使用することができる耐久品として製造される。フイルムユニット１０には、ストロボ装置１１に給電する電池４８が収納されている。
【００１８】
ユーザーは、フイルムユニット１０を交換することにより、ストロボ装置１１を繰り返し使用することができる。フイルムユニット１０は写真フイルムの交換ができないので、電池４８の容量としては、写真フイルム１本分の撮影に使用できるだけの容量があれば足りる。したがって、例えば、単４型の電池など小型の電池を使用することができる。これにより、フイルムユニット１０のボディサイズを小さくすることができる。
【００１９】
図２及び図３に示すように、フイルムユニット１０の側面には、ストロボ装置１１を着脱自在に取り付けるための取り付け部１２が設けられている。この取り付け部１２は、側面に突出しており、その上部には位置決め用のリブ１２ａと、リブ１２ａの間には、ストロボ装置１１が不用意に外れないようにするための固定用の溝１２ｂが形成されている。また、リブ１２ａの下には、ストロボ装置１１と電気的な接続をするための本体側コネクタ１３が設けられている。
【００２０】
他方、ストロボ装置１１には、取り付け部１２と係合する係合部１４が形成されている。係合部１４は、取り付け部１２の形状に合わせて凹んでおり、係合部１４の内面は、各リブ１２ａ及び溝１２ｂのそれぞれと係合するように形成されている。また、係合部１４には、本体側コネクタ１３と接続されるストロボ側コネクタ１５が設けられている。取り付け部１２と係合部１４とを係合させることにより、ストロボ装置１１がフイルムユニット１０に取り付けられる。
【００２１】
本体側コネクタ１３には、ピン型の４本の端子１３ａが設けられている。４本のうちの２本は、シンクロスイッチ用の１対の端子であり、残り２本は、電源供給用の１対の端子である。ストロボ側コネクタ１５には、各端子１３ａのそれぞれと接続される４つの端子１５ａが設けられている。各端子１５ａは、ピン型の端子が挿入される筒型の端子である。ストロボ装置１１は、各コネクタ１３，１５を通じて、給電されるとともに、トリガー信号を受け取る。
【００２２】
なお、取り付け部及び係合部の形状や、各コネクタ及び端子の形状等は、上記のものに限られず、各種のものを使用することができる。
【００２３】
フイルムユニット１０の前面には、撮影レンズ１６を露呈するための開口１７と、ファインダ対物窓１８が設けられている。フイルムユニット１０の上部には、シャッタボタン１９、フイルムカウンタ２１が設けられており、背面には巻き上げノブ２２の一部が外部に露呈している。
【００２４】
図３に示すように、フイルムユニット１０は、本体基部２３と、写真フイルム２４及びカートリッジ本体２５からなる写真フイルムカートリッジ２６と、これらを覆う前カバー３１及び後カバー３２とから構成される。本体基部２３には、その中央に露光部３３が設けられており、この露光部３３の両脇には、カートリッジ本体２５を収納するカートリッジ収納室２３ａと、カートリッジ本体２５から引き出され、ロール状に巻かれた写真フイルム２４を収納する写真フイルム収納室２３ｂとが設けられている。また、カートリッジ収納室２３ａの上部には巻き上げノブ２２が取り付けられている。
【００２５】
巻き上げノブ２２は、その下部に設けられた軸（図示せず）が、カートリッジ本体２５に形成されたスプールと係合する。写真フイルム２４の一端は、スプールに形成されたスリットに挟み込まれて保持される。このため、巻き上げノブ２２の回転に伴ってスプールが回転し、写真フイルム２４が給送される。
【００２６】
露光部３３は、暗箱３８，この暗箱３８の前面に設けられたシャッタ羽根３９，これらの前面を覆うシャッタカバー４１からなる。暗箱３８の前面には、撮影光を暗箱３８内に入射させるための開口３８ａが設けられており、その背面には、写真フイルム２４の露光範囲を区画するアパーチャが形成されている。シャッタカバー４１には、絞りが設けられるとともに、撮影レンズ１６が組み付けられている。
【００２７】
また、露光部３３の上部には、対物レンズ及び接眼レンズからなるファインダ機構及び写真フイルム２４の残数を表示するためのフイルムカウンタ機構が取り付けられている。
【００２８】
シャッタ羽根３９は、開口３８ａを開放する開き位置と、これを覆う閉じ位置との間で回動自在に取り付けられており、バネによって閉じ位置に付勢されている。露光部３３の上部には、シャッタ羽根３９を蹴飛ばす蹴飛ばし機構が設けられている。蹴飛ばし機構は、巻き上げノブ２２による写真フイルム２４の巻き上げに連動してチャージされ、シャッタボタン１９の押下によりシャッタ羽根３９を蹴飛ばす。この蹴飛ばしによりシャッタ羽根３９が閉じ位置と開き位置との間を１往復動して露光が行われる。
【００２９】
暗箱３８の上方には、シンクロスイッチ４３が設けられている。シンクロスイッチ４３は、シャッタレリーズと同期して、ストロボ装置１１に対してトリガー信号を送るためのスイッチであり、一対の金属接片４３ａ，４３ｂからなる。シャッタ羽根３９には、前記一対の金属接片４３ａ，４３ｂの一方を押して両者を接触させるための押圧部が設けられている。シャッタ羽根３９が開き位置に達したときに、シンクロスイッチ４３がオンして、ストロボ装置１１にトリガー信号が送られる。
【００３０】
金属接片４３ａ，４３ｂは、その一端がシャッタ羽根３９の近傍に配置される。他端側は、端子ホルダ５０によって保持される。端子ホルダ５０は、各端子１３ａとともに金属接片４３ａ，４３ｂを保持する。各金属接片４３ａ，４３ｂは、例えば、インモールド成形によって端子ホルダ５０に固定される。端子ホルダ５０は、写真フイルム収納室２３ｂの上面に取り付けられる。
【００３１】
電池４８は、露光部３３の下方に配置される。露光部３３の下方には、電池４８の各極と接触する金属接片（図示せず）が設けられており、これら金属接片は、端子１３ａに接続されている。
【００３２】
前カバー３１及び後カバー３２は、本体基部２３の前後からそれぞれ取り付けられ、フイルムユニット１０の内部を光密に覆う。後カバー３２には底蓋３２ａ、３２ｂが一体に形成され、カートリッジ本体２５及び写真フイルム２４の底部を光密に覆っている。また、底蓋３２ａは撮影済みのカートリッジ本体２５を外部に取り出す際に開放される。
【００３３】
ストロボ装置１１は、回路パターンがプリントされるとともにメインコンデンサ４５を含む各回路素子が取り付けられた回路基板４６と、放電管（Ｘｅランプ），リフレクタ，拡散板等からなるストロボ発光部４７と、これらを収納するケース４９とからなる。ストロボ装置１１は耐久品として製造されるので、使用される部品としては、従来のレンズ付きフイルムユニットに内蔵されたストロボ装置の部品と比較して、高い耐久性を備えたものが使用される。そのため、製造コストが比較的高価になるのでユーザーの初期投資額は大きくなるが、ストロボ装置は繰り返し使用することができるので、ユーザーの使い方次第では、割安である。
【００３４】
ケース４９の前面には、ストロボ発光部４７の拡散板が露呈しており、拡散板の下方に充電ボタン５１が設けられている。充電ボタン５１はその背面がストロボ回路の充電スイッチと当接しており、充電は、充電ボタン５１を押下している間だけ行われる。このため、充電スイッチを切り忘れることがなく、電池４８を無駄に消費してしまうことがない。もちろん、オン位置で固定できる充電ボタンを設けてもよいし、プッシュ式のボタンの代わりに、スライド式の操作部材を使用してもよい。
【００３５】
ケース４９の上面には、充電が完了したことをユーザーに知らせるための充電完了表示部５２が設けられている。充電完了表示部５２としては、例えば、ストロボ回路に設けられた発光ダイオードの光を導くライトガイドが使用される。なお、この充電完了表示部５２は、ケース４９の背面に設けてもよい。
【００３６】
図５は、ストロボ回路５６の回路図を示す。電池４８と、シンクロスイッチ４３は、各端子１３ａ，端子１５ａによってストロボ回路５６に接続される。充電スイッチ５７は、可動片５８と、第１〜第３接点５９ａ〜５９ｃとから構成され、可動片５８の一端が第３接点５９ｃに接続されている。充電ボタン５１を押下したときに、可動片５８の他端が第１接点５９ａ及び第２接点５９ｂと当接し、各接点間が導通する。
【００３７】
ＮＰＮ型の発振トランジスタ６１と発振トランス６２とは、周知のブロッキング発振作用を利用して昇圧を行う発振昇圧回路６３を構成しており、電池４８の電圧を３００Ｖ程度の高電圧に変換してメインコンデンサ４５を充電する。発振トランス６２は、それぞれが誘導結合された一次コイル６２ａ，二次コイル６２ｂ，三次コイル６２ｃから構成される。一次コイル６２ａの一端は電池４８のプラス電極に接続され、他端は発振トランジスタ６１のコレクタ端子に接続される。二次コイル６２ｂの一端は整流用ダイオード６６のアノードに接続され、他端は三次コイル６２ｃの一端とともに電池４８のプラス電極に接続される。また、三次コイル６２ｃの他端は、抵抗６７ａを通して充電スイッチ５７の第３接点５７ｃに接続される。
【００３８】
整流用ダイオード６６のカソードは、抵抗６７ｂを介してトリガコンデンサ６８の一端と、メインコンデンサ３７の一端（プラス側）とに接続される。また、トリガコンデンサ６８の他端は、充電スイッチ５７の第１接点５９ａに接続される。発振トランジスタ６１のエミッタ端子は、電池４８のマイナス電極に接続され、ベース端子は抵抗６７ｃを介して第２接点５９ｂに接続される。
【００３９】
トリガコイル６９は、誘導結合された一次トリガコイル６９ａと二次トリガコイル６９ｂとから構成される。一次トリガコイル６９ａの一端は、トリガコンデンサ６８の一端に接続され、二次トリガコイル６９ｂの一端は、ストロボ発光部４７に内蔵された放電管７１に近接して設けられたトリガ電極７２に接続される。各コイル６９ａ，６９ｂの他端は共有端子となっており、シンクロスイッチ４３を介して充電スイッチ５７に接続される。また、放電管７１の各端子は、メインコンデンサ４５の両端に接続される。
【００４０】
トリガコンデンサ６８から一次トリガコイル６９ａ，シンクロスイッチ４３，充電スイッチ５７，トリガコンデンサ６８まで順番に接続された回路は、シンクロスイッチ４３をＯＮしたときにトリガコンデンサ６８からの放電電流を一次トリガコイル６９ａに流すトリガ放電回路（トリガー回路）６４を構成する。
【００４１】
充電スイッチ５７がＯＮすると、発振トランジスタ６１が作動し、一次コイル６２ａに電流（発振トランジスタ６１のコレクタ電流）が流れる。そして、二次コイル６２ｂには、一次コイル６２ａと二次コイル６２ｂとの巻線比に応じた起電力が発生し、この起電力によって発生した二次側電流が発振トランジスタ６１のベース電流として流れる。つまり、発振トランス６２の正帰還作用によって、発振トランジスタ６１はコレクタ電流を増大させて発振する。これとともに、二次コイル６２ｂに発生した二次側電流が、メインコンデンサ４５とトリガコンデンサ６８とに流れそれぞれが充電される。
【００４２】
なお、符号７４は、発光ダイオードであり、このアノード及びカソードは、三次コイル６２ｃの両端子に接続される。メインコンデンサ４５の充電電圧が規定充電電圧に達したときに、三次コイル６２ｃの両端子間電圧が所定値を越え、発光ダイオード７４が点灯する。この光が充電完了表示部５２に導光される。
【００４３】
メインコンデンサ４５の充電が完了した状態でシンクロスイッチ４３がＯＮとなると、トリガー回路６４が閉じられ、トリガコンデンサ６８の放電電流が一次トリガコイル６９ａに流れる。一次トリガコイル６９ａに放電電流が流れると、二次トリガコイル６９ｂに高電圧のトリガ電圧が発生し、このトリガ電圧がトリガ電極７２を介して放電管７１に印加される。そして、放電管７１内でメインコンデンサ４５の電荷が放電され、ストロボ光が放出される。
【００４４】
以下、上記構成による作用について、図６を参照しながら説明する。図６は、フイルムユニット１０及びストロボ装置１１の製造から、ユーザーによる使用を経てリサイクルされるまでのフローチャートである。
【００４５】
カメラメーカーは、フイルムユニット１０及びストロボ装置１１を製造する。カメラメーカーが製造したフイルムユニット１０及びストロボ装置１１は、販売店を通じてユーザーに提供される。フイルムユニット１０は、ストロボ装置１１とセットで販売される他、単体でも販売される。
【００４６】
ストロボ装置１１をフイルムユニット１０の取り付け部１２に取り付けると、フイルムユニット１０の本体側コネクタ１３と、ストロボ側コネクタ１５とが接続され、各端子１３ａと各端子１５ａとが導通する。これにより、シンクロスイッチ４３と、電源４８とがストロボ回路５６に接続される。
【００４７】
充電ボタン５１を押下すると、充電スイッチ５７がオンして、メインコンデンサ４５への充電が開始される。メインコンデンサ４５の充電電圧が規定電圧に達すると、発光ダイオード７４が発光し、充電完了表示部５２が点灯する。これにより、ユーザーは、ストロボ充電が完了したことを確認する。
【００４８】
シャッタボタン１９が押下されると、シャッタ羽根３９が蹴飛ばされて、写真フイルム２４への露光が行われる。シャッタ羽根３９が開き位置に達すると、シンクロスイッチ４３の各金属接片４３ａ，４３ｂが接触してシンクロスイッチ４３がオンする。これにより、トリガー回路６４が作動して、ストロボ発光する。
【００４９】
写真フイルム２４を使い切ったら、ユーザーは、使用済みのフイルムユニット１０をプリント業者に持ち込んで、プリントを依頼する。プリント業者は、フイルムユニット１０の本体毎、写真フイルム２４を預かり、プリント処理をする。現像済みの写真フイルム２４は、仕上がった写真プリントをユーザーに引き渡す際にユーザーに返却される。他方、写真フイルム２４が抜き取られたフイルムユニット１０の本体は、カメラメーカーに回収される。
【００５０】
他方、ストロボ装置１１は、繰り返し使用することができるので、ユーザーは、次回の使用に備えて、ストロボ装置１１を使用済みのフイルムユニット１０から取り外して保管しておく。次回使用する場合には、販売店で新しいフイルムユニット１０だけを購入する。このフイルムユニット１０に、保管しておいたストロボ装置１１を装着して、撮影を行う。
【００５１】
このように、ストロボ装置１１は繰り返し使用することができるので、ユーザーは、次回の撮影時にはフイルムユニット１０だけを購入すれば、フラッシュ撮影をすることができる。
【００５２】
もちろん、ストロボ装置１１は耐久品とはいえ、寿命はある。寿命に達したストロボ装置１１は、フイルムユニット１０と同様にプリント業者を通じてカメラメーカーに回収されて、リサイクルされる。ユーザーは、寿命に達したストロボ装置１１を単体でプリント業者に持ち込んでもよいし、フイルムユニット１０とともに持ち込んでもよい。
【００５３】
フイルムユニット１０は、１本の写真フイルム２４を使い切るとプリント業者に持ち込まれるのに対して、ストロボ装置１１は、繰り返し使用することができるから、従来と比較して、ストロボ装置１１がプリント業者に持ち込まれる回数が減る。このため、ストロボ装置が詰め替え業者や部品流用業者の手に渡る機会が減るので、不適正な詰め替え品及び部品流用品の流通量を減らすことができる。
【００５４】
また、フイルムユニット１０には、高価なストロボ装置が組み込まれていないので、このフイルムユニット１０が詰め替え業者や部品流用業者の手に渡ることもなくなる。そのため、フイルムユニット１０の回収率も向上するので、無駄に廃棄される量が減り、環境汚染が防止されるとともに、資源が有効活用される。
【００５５】
カメラメーカーに回収されたフイルムユニット１０及びストロボ装置１１は、適正にリサイクルされる。使用済みのストロボ装置１１は、分解された後、各部品に対して洗浄，検査及び必要に応じて修理が施される。各部品は、新しい電池とともに、新しいケースに組み込まれて再使用される。使用済みのケースは、破砕されてプラスチック材料として再利用される。使用済みの電池は、専門業者に引き渡されてリサイクルされる。
【００５６】
上記実施形態では、フイルムユニットとストロボ装置とを電気的に接続する端子として、４つの端子を使用している例で説明しているが、給電用の端子の一方と、シンクロスイッチ接続用の端子の一方とを共用する共通端子を１つ設け、合計で３つの端子としてもよい。
【００５７】
上記実施形態では、ストロボ側コネクタの端子が、ストロボ装置の外面に露呈している。そのため、メインコンデンサを充電済みの状態でストロボ装置をフイルムユニットから取り外した場合、誤って接点に指が触れて各接点間が導通してしまうと、感電してしまうおそれがある。充電完了状態では、接点にメインコンデンサと同じ電圧がかかっているため、非常に危険である。そのため、ストロボ装置をフイルムユニットから取り外した時にメインコンデンサが放電されるように放電スイッチを設けるなどの安全対策を施しておくとよい。
【００５８】
また、上記実施形態では、充電が完了している状態では、被写体輝度に関わらず常にストロボ発光がなされるストロボ装置の例で説明しているが、測光装置を設けて、被写体輝度に応じて発光するストロボ装置でもよい。また、被写体輝度に応じてストロボの発光量を調節可能なストロボ装置でもよい。
【００５９】
また、上記実施形態では、電池をストロボ装置を駆動する電源としてのみ使用しているが、例えば、レンズ付きフイルムユニットに被写体輝度に応じて絞りを切り替える絞り切り替え装置を設けた場合には、その電源として使用してもよい。
【００６０】
【発明の効果】
以上詳細に説明したように、本発明は、予め未露光の写真フイルムが装填され簡単な撮影機構が組み込まれたレンズ付きフイルムユニットに、ストロボ装置を着脱自在に取り付けられるようにするとともに、前記レンズ付きフイルムユニットに前記ストロボ装置へ給電するための電池を収納したから、ストロボ装置を繰り返し使用することができる。これにより、使用済みのレンズ付きフイルムユニットの本体と比較して、使用済みのストロボ装置の流通量が減るから、不適正なストロボ装置の流用が抑制又は防止される。また、電池をレンズ付きフイルムユニットに設けたことにより、レンズ付きフイルムユニット用のストロボ装置を耐久品として製造することができる。
【図面の簡単な説明】
【図１】レンズ付きフイルムシステムの外観図である。
【図２】レンズ付きフイルムユニットの取り付け部及びストロボ装置の係合部の説明図である。
【図３】取り付け部及び係合部の断面図である。
【図４】レンズ付きフイルムユニットの分解斜視図である。
【図５】ストロボ装置の回路図である。
【図６】フイルムユニット及びストロボ装置のリサイクルのフローチャートである。
【符号の説明】
１０  フイルムユニット
１１  ストロボ装置
１２  取り付け部
１４  係合部
１３  本体側コネクタ
１３ａ，１５ａ  端子
１５  ストロボ側コネクタ
４５  メインコンデンサ
４６  回路基板
４７  ストロボ発光部
４８  電池
４９  ケース
５６  ストロボ回路
【図１】
0003773186.tif 000002
【図２】
0003773186.tif 000003
【図３】
0003773186.tif 000004
【図４】
0003773186.tif 000005
【図５】
0003773186.tif 000006
【図６】
0003773186.tif 000007